(57)【要約】【課題】ブログのサイドバーなどに掲載できる小さいスクリプトやコンテンツ（以下「ブログパーツ」という）で提供されているサービスを、そのままユーザーＰＣ端末デスクトップ常駐型ミニアプリケーション（以下「ウィジェット」という）として利用できるような手段を提供すること。【解決手段】インターネットを介して端末にブログパーツを表示させるサーバから、ブログパーツ上のリンクボタンを押すことで、ウィジェットをダウンロードできるサーバへ移行、ダウンロードサイトをブラウザを介して表示し、そこに配置されたウィジェットのダウンロードボタンを押すことによって、ユーザーのＰＣのデスクトップにブログパーツと同一のデザイン、機能を持ったウィジェットをダウンロードし、その実行ファイルをユーザーがインストールすることで、ブログパーツと同一の機能をユーザーＰＣ上でウィジェットとして提供する。【選択図】図１
2008282088.tif 000002
【特許請求の範囲】
【請求項１】
インターネットを介してユーザーパソコン端末にブログのサイドバーなどに掲載できる小さいスクリプトやコンテンツ（以下「ブログパーツ」という）を表示させるサーバから、ブログパーツ上のリンクボタンを押すことで、ユーザーパソコン端末デスクトップ常駐型ミニアプリケーション（以下「ウィジェット」という）をダウンロードできるサーバへ移行、サイトを表示するブログパーツおよびウィジェット連携システム。
【請求項２】
そこに配置されたダウンロードボタンを押すことによって、ユーザーパソコン端末にブログパーツと同様のデザイン、機能を持ったウィジェットをダウンロードし、その実行ファイルをユーザーがインストールすることで、ブログパーツと同一の機能をユーザーパソコン端末上でウィジェットとして提供するためのブログパーツおよびウィジェット連携システム。
【請求項３】
ユーザーパソコン端末のウィジェット上に表示されるブログパーツ利用タグ発行ボタンを押すことによって、ブログパーツ利用タグ発行サーバへ移行、サイトを表示するブログパーツおよびウィジェット連携システム。
【請求項４】
そこで発行されたブログパーツ利用タグを、ユーザーが利用するブログサーバ内ブログ設定画面該当項目へ貼り付けることによって、ウィジェットと同一のデザイン、機能を持ったブログパーツを利用することが出来るブログパーツおよびウィジェット連携システム。
【請求項５】
インターネットを介してユーザーパソコン端末にブログのサイドバーなどに掲載できる小さいスクリプトやコンテンツ（以下「ブログパーツ」という）を表示させるサーバから、ブログパーツ上のリンクボタンを押すことで、ユーザーパソコン端末デスクトップ常駐型ミニアプリケーション（以下「ウィジェット」という）をダウンロードできるサーバへ移行、サイトを表示するブログパーツおよびウィジェット連携方法。
【請求項６】
そこに配置されたダウンロードボタンを押すことによって、ユーザーパソコン端末にブログパーツと同様のデザイン、機能を持ったウィジェットをダウンロードし、その実行ファイルをユーザーがインストールすることで、ブログパーツと同一の機能をユーザーパソコン端末上でウィジェットとして提供するためのブログパーツおよびウィジェット連携方法。
【請求項７】
ユーザーパソコン端末のウィジェット上に表示されるブログパーツ利用タグ発行ボタンを押すことによって、ブログパーツ利用タグ発行サーバへ移行、サイトを表示するブログパーツおよびウィジェット連携方法。
【請求項８】
そこで発行されたブログパーツ利用タグを、ユーザーが利用するブログサーバ内ブログ設定画面該当項目へ貼り付けることによって、ウィジェットと同一のデザイン、機能を持ったブログパーツを利用することが出来るブログパーツおよびウィジェット連携方法。
【発明の詳細な説明】
【技術分野】
【０００１】
本発明は、ブログパーツとウィジェットの連携システムおよびその連携方法に関する。
【背景技術】
【０００２】
従来よりブログパーツは、ブログを保有するブロガーが、自分のブログを飾るため、自分で楽しむため、および自分のブログへの訪問者へ見せるために利用されている。一方、ウィジェットは自分のパソコン（以下「ＰＣ」という）のデスクトップを飾るため、自分で楽しむために利用されている。
尚、この先行技術は文献公知に係るものではないため、記載すべき先行技術文献情報はない。
【発明の開示】
【発明が解決しようとする課題】
【０００３】
しかしながら、便利なブログパーツを見つけたとしても、ブログを保有していないユーザーは、そのブログパーツを利用するためには、それが貼り付けられているブログに訪問しなければならなかった。
【０００４】
本発明は、このような事情に鑑みてなされたもので、ブログを持っていないユーザーでもそのブログパーツを自分のＰＣのデスクトップ上にウィジェットとして置いて利用することができるシステムおよび連携方法を提供することにある。
【０００５】
また同時に、ウィジェット利用者が、同一の機能を自分のブログにブログパーツとして貼り付けて利用することが出来るシステムおよび連携方法も提供する。
【課題を解決するための手段】
【０００６】
請求項１記載のブログパーツ連携システムは、インターネットを介して端末にブログパーツを表示させるサーバから、ブログパーツ上のリンクボタンを押すことで、ウィジェットをダウンロードできるサーバへ移行、サイトを表示することを特徴とする。
【０００７】
請求項２記載のウィジェット連携システムは、ダウンロードサーバに配置されたダウンロードボタンを押すことによって、ユーザーのＰＣのデスクトップにブログパーツと同様のデザイン、機能を持ったウィジェットをダウンロードし、その実行ファイルをユーザーがインストールすることで、ブログパーツと同一の機能をユーザーＰＣ上でウィジェットとして提供することを特徴とする。
【０００８】
請求項３記載のウィジェット連携システムは、ユーザーＰＣ端末のウィジェット上に表示されるブログパーツ利用タグ発行ボタンを押すことによって、ブログパーツ利用タグ発行サーバへ以降、サイトを表示することを特徴としている。
【０００９】
請求項４記載のブログパーツ連携システムは、ブログパーツ利用タグ発行サーバで発行されたブログパーツ利用タグを、ユーザーが利用するブログサーバ内ブログ設定画面該当項目へ貼り付けることによって、ウィジェットと同一のデザイン、機能を持ったブログパーツを利用することが出来ることが特徴となっている。
【発明の効果】
【００１０】
請求項１の発明によれば、ブログパーツ上に配置されたボタンを押すことで、同一のデザイン、機能を持ったウィジェットをダウンロードできるサーバに容易に移行することができる。
【００１１】
請求項２の発明によれば、ダウンロードサーバに配置されたダウンロードボタンを押すことで、ブログパーツと同一のデザイン、機能を持ったウィジェットをダウンロード、インストールし、利用することができる。
【００１２】
請求項３の発明によれば、ユーザーＰＣ端末のウィジェット上に表示されるブログパーツ利用タグ発行ボタンを押すことによって、ブログパーツ利用タグ発行サーバへ容易に移行することができる。
【００１３】
請求項４の発明によれば、ブログパーツ利用タグ発行サーバで発行されたブログパーツ利用タグを、ユーザーが利用するブログサーバ内ブログ設定画面該当項目へ貼り付けることによって、ウィジェットと同一のデザイン、機能を持ったブログパーツを利用することができる。
【発明を実施するための最良の形態】
【００１４】
以下、本発明の形態について図面を参照しながら具体的に説明する。本発明の形態におけるブログパーツおよびウィジェット連携システムは、インターネットを介してブログパーツとウィジェットを連携させるためのものである。
【００１５】
図１は、ブログパーツとウィジェット連携システムの一例を示す構成図である。
【００１６】
本実施例のブログパーツとウィジェット連携システムは、電気通信回線でありインターネットを形成する通信回線（４）と、通信回線（４）に接続されたブログサーバＡ（１）と、同じく通信回線（４）に接続されたウィジェットダウンロードサーバ（２）、および同じく通信回線（４）に接続されたユーザーＰＣ端末（３）で構成されている。通信回線（４）は、インターネットに常時又は断続的に接続可能な回線である、ＷＡＮ（Wide Area Network）、ＡＤＳＬ、光ファイバー、専用線等の他、ＬＡＮを経由した接続も含まれる。また、通信回線（４）は有線に限られるものではなく、無線により接続されるものであっても良い。
【００１７】
ブログサーバ（１）は、通信回線（４）によりインターネットに接続されたウェブサーバであり、ウェブブラウザで閲覧するブログサービスを提供するコンピュータである。ブログサーバ（１）はブログパーツのタグを貼り付けるとこでブログパーツを表示し、そのブログパーツ内にウィジェットダウンロードサーバ（２）のリンクボタンを表示させる。
【００１８】
ブログサーバ（１）でリンクボタンを押すと、通信回線（４）によりインターネットに接続されているウィジェットダウンロードサーバ（２）に記憶されているウィジェットダウンロードサイトを表示させる。
【００１９】
ウィジェットダウンロードサーバ（２）はユーザーがダウンロードボタンを押した際に、通信回線（４）によりインターネットに接続されたユーザーＰＣ端末（３）へウィジェットをダウンロードさせる。ユーザーがダウンロードした実行ファイルを実行することで、ユーザーＰＣ端末（３）で、ブログサーバ（１）で表示していたブログパーツと同一のデザイン、機能のウィジェットを利用できるようになる。
【００２０】
ユーザーＰＣ端末（３）のウィジェット上に表示されるブログパーツ利用タグ発行サイトリンクボタンを押した際に、通信回線（４）によりインターネットに接続されたブログパーツ利用タグ発行サーバ（５）へ移行し、タグ発行サイトを表示させる。
【００２１】
ブログパーツ利用タグ発行サーバ（５）でタグ発行ボタンを押して発行されたタグをコピーして、通信回線（４）によりインターネットに接続されている、ユーザーが利用しているブログサーバ（６）内ブログ設定画面該当項目にブログパーツのタグを貼り付けることで、ブログサーバ（６）においてウィジェットと同一のデザイン、機能のブログパーツを表示させる。
【産業上の利用可能性】
【００２２】
以上のように、本発明によれば、ブログパーツと同様のデザイン、機能を持ったウィジェットをユーザーＰＣのデスクトップ上で利用することが可能となる。
【図面の簡単な説明】
【００２３】
【図１】ブログパーツとウィジェット連携システム構成図である。
【符号の説明】
【００２４】
１・・・・ブログサーバＡ
２・・・・ウィジェットダウンロードサーバ
３・・・・ユーザーＰＣ
４・・・・通信回線
５・・・・ブログパーツ利用タグ発行サーバ
６・・・・ブログサーバＢ
【図１】
2008282088.tif 000003